(57)【要約】【課題】  スロットマシンにおいて、表示器と共に回路基板上に搭載されるコネクタに接続される制御部に対する不正行為を防止すること。【解決手段】  回路基板７０の封印構造として、表示器１４〜１６及びコネクタ６０が搭載された回路基板７０を枠体４及びカバー体５０の両者で挟み込んだサンドイッチ構造を採用し、さらに回路基板７０に半田付けされた被封印部材９０の係合部９２に封印部材としてのロックピン１００を係合して、回路基板７０とカバー体５０とを分離不能とすることによって、表示器と共に回路基板７０上に搭載されるコネクタに対して、マシン外部からアプローチできないようにする。【選択図】  図１１
2008301990.tif 000002
【特許請求の範囲】
【請求項１】
列毎に複数種類の図柄の変動表示及び停止表示を行なうための複数のリール体と、
これら複数のリール体が内部に設置される筐体と、
この筐体の前面側から前記複数のリール体の各リール図柄の一部が視認できるように表示窓が形成された枠体と、
前記表示窓に沿って所定の状態で配置される表示器を少なくとも含む電子部品、及びコネクタが搭載され、前記枠体の裏面側にねじにより取り付けられる回路基板と、
この回路基板を前記枠体に対して封印するように当該回路基板を覆うカバー体と、
前記枠体と前記カバー体との間で前記回路基板を挟み込んで当該回路基板を封印するための封印部材と、
この封印部材と係合する係合部が設けられた被封印部材と、を備えているスロットマシンであって、
前記回路基板の前記枠体との対向面とは反対側の面には、前記被封印部材が半田付けにて固定され、
前記カバー体には、前記被封印部材の係合部と嵌合する嵌合部が設けられ、
前記被封印部材の係合部を前記カバー体の嵌合部に嵌合させた状態で、前記封印部材の係合部に前記封印部材を係合させることによって、前記カバー体が前記回路基板に取付けられていることを特徴とするスロットマシン。
【請求項２】
前記回路基板の前記枠体との対向面とは反対側の面には、そのコンタクトピンを半田付けすることによって前記コネクタが搭載され、
このコネクタは、前記被封印部材として兼用されることを特徴とする請求項１に記載のスロットマシン。
【請求項３】
前記被封印部材は、その基部に前記係合部を一体的に設けてなり、
この被封印部材の基部には、ねじを挿通するための挿通孔が形成され、
この挿通孔に挿通されたねじによって前記枠体と前記回路基板とが螺合されていることを特徴とする請求項１又は２に記載のスロットマシン。
【発明の詳細な説明】
【技術分野】
【０００１】
本発明は、表示窓の枠体の裏面側に表示器及びコネクタが搭載された回路基板が取付けられるスロットマシンに関し、特にその回路基板の封印構造に係る。
【背景技術】
【０００２】
周知のように、パチスロと称されるスロットマシンには、外周面に複数種類の図柄が配置された３つのリールと、全リールの回転を開始させてリール図柄を変動表示させるための始動レバーと、各回転リールに対応して配置されており、リール毎にその回転を停止させてリール図柄の変動表示を停止表示させるための３つの停止ボタンとが備えられている。
【０００３】
かかるスロットマシンにおける基本遊技の流れは、以下の通りである。
【０００４】
遊技媒体（メダル及びコイン等を含む概念である）が投入されることにより、３つのリールを横切る賭けラインが有効化される（換言すると、賭け対象となる有効ラインが設定される）と共に始動レバーの操作が許容される。始動レバーが操作されると、マシン内部で役の成立に関する電子的な抽選（以下、単に「役抽選」という）が行われると共に設定された有効ラインを通過するようにリール図柄が変動表示される。この状態で停止ボタンが順次操作されると、変動表示されていたリール図柄が当該停止ボタンの操作順序に応じて停止表示される。全てのリールに属するリール図柄が停止表示された時点での有効ラインに沿って停止表示された３つのリール図柄の組合せが、予め設定された役の入賞を示す図柄の組合せ（以下、単に「入賞図柄」ともいう）と一致した場合には、入賞とされ、その入賞役の種類に応じた数の遊技媒体が配当として払い出される。
【０００５】
上記役抽選で抽選の対象となる役は複数種類あり、これら役毎に入賞図柄が設定されている。役の一般例としては、ビッグボーナス（ＢＢ）役及びレギュラーボーナス（ＲＢ）等と称されるボーナス役、並びにリプレイ（ＲＰ）役等と称される役等がある。ボーナス役とは、その入賞により遊技者にとって有利なボーナス遊技を所定の期間行うことができ、この期間に大量の遊技媒体を獲得することができる役である。ＲＰ役とは、その入賞時に１度だけ遊技媒体の配当が得られる小役、さらには遊技媒体の配当は得られないが次回同じ有効ラインの設定状態において再遊技を行うことができる役である。
【０００６】
このようなスロットマシンは、リール図柄の変動表示及び停止表示を遊技者に視認させるための表示窓を有しており、この表示窓の周囲に払出数表示器、ゲーム数表示器及びクレジット数表示器等の各種の表示器が配置されている。
【０００７】
各種の表示器は、コネクタと共に回路基板上に搭載されるが、この表示器及びコネクタが搭載された回路基板は、例えば、特許文献１及び２に示されているように、表示窓が形成された枠体の裏面側にねじ止めにより取付けられるのが通常である。
【０００８】
【特許文献１】特許第２５５４６７３号公報（図１１参照）
【特許文献２】特開平６−２５４２１３号公報（図４参照）
【発明の開示】
【発明が解決しようとする課題】
【０００９】
しかしながら、上記特許文献１及び２に開示されているように、回路基板を枠体の裏面に対してねじ固定するだけでは、回路基板上に搭載されたコネクタが露出しており、当該コネクタとフラットケーブル等を介して接続されるスロットマシンの制御部に対して不正な行為がなされる可能性も少なくはない。
【００１０】
そこで、不正行為を事前に防止するため、表示器及びコネクタが搭載される回路基板の有効な封印方法が望まれている。
【００１１】
本発明は、上記技術的課題に鑑みなされたもので、表示器と共に回路基板上に搭載されるコネクタに対してマシン外部からアプローチできないようにし、もってコネクタに接続される制御部に対する不正行為を防止し得るスロットマシンの提供を目的とする。
【課題を解決するための手段】
【００１２】
上記目的を達成するため、本発明に係るスロットマシンは、列毎に複数種類の図柄の変動表示及び停止表示を行なうための複数のリール体と、これら複数のリール体が内部に設置される筐体と、この筐体の前面側から前記複数のリール体の各リール図柄の一部が視認できるように表示窓が形成された枠体と、前記表示窓に沿って所定の状態で配置される表示器を少なくとも含む電子部品、及びコネクタが搭載され、前記枠体の裏面側にねじにより取り付けられる回路基板と、この回路基板を前記枠体に対して封印するように当該回路基板を覆うカバー体と、前記枠体と前記カバー体との間で前記回路基板を挟み込んで当該回路基板を封印するための封印部材と、この封印部材と係合する係合部が設けられた被封印部材と、を備えているスロットマシンであって、前記回路基板には、前記被封印部材が半田付けにて固定され、前記カバー体には、前記被封印部材の係合部と嵌合する嵌合部が設けられ、前記被封印部材の係合部を前記カバー体の嵌合部に嵌合させた状態で、前記封印部材の係合部に前記封印部材を係合させることによって、前記カバー体が前記回路基板に取付けられている。
【００１３】
上記構成において、回路基板上に表示器及びコネクタを搭載する際に、回路基板に被封印部材が半田付けされる。この回路基板は、枠体の裏面側にねじ止めされる。そして、回路基板は、カバー体の嵌合部に被封印部材の係合部を嵌合させた状態でカバー体によって覆われる。このとき、回路基板は、枠体とカバー体との間で挟み込まれた（サンドイッチされた）状態で封印されることになる。さらに、回路基板は、上記半田付けされた被封印部材の係合部に封印部材を係合させることによってカバー体に対して分離不能に固定される。
【００１４】
ある態様では、前記回路基板の前記枠体との対向面とは反対側の面には、そのコンタクトピンを半田付けすることによって前記コネクタが搭載され、このコネクタは、前記被封印部材として兼用される。
【００１５】
この態様においては、回路基板の封印に関し、組立工程数や部品点数の削減に貢献する。
【００１６】
上記スロットマシンにおいて、前記被封印部材は、その基部に前記係合部を一体的に設けてなり、この被封印部材の基部には、ねじを挿通するための挿通孔が形成され、この挿通孔に挿通されたねじによって前記枠体と前記回路基板とが螺合されていることが好ましい。
【００１７】
この場合、枠体及びカバー体の両者の間でサンドイッチされる回路基板に対する固定力がより増強されることになる。
【発明の効果】
【００１８】
本発明では、回路基板の封印構造として、表示器及びコネクタが搭載された回路基板を枠体及びカバー体の両者で挟み込んだサンドイッチ構造を採用し、さらに回路基板に半田付けされた被封印部材の係合部に封印部材を係合しているので、回路基板とカバー体とは分離できなくなる。それゆえ、表示器と共に回路基板上に搭載されるコネクタに対しては、マシン外部からアプローチできないようになる。その結果、コネクタに接続される制御部に対する不正行為を防止することが可能となる。
【発明を実施するための最良の形態】
【００１９】
以下、本発明を実施の形態について、添付図面に基づき詳細に説明する。なお、以下に示す実施の形態１〜３においては、３個の回転リール式の図柄表示手段を備えたスロットマシンに対して本発明を適用した場合の例について示すが、本発明はこれに限られることなく、さらに多くの回転リールを用いたものや液晶リール式の図柄表示手段を備えたスロットマシンにも適用可能である。
【００２０】
＜実施の形態１＞
［外観構成］
図１〜図４を参照して、本実施の形態１に係るスロットマシン１は、前面が開放している箱形の筐体２と、この筐体２に対して開閉自在に取り付けられている前扉３とを備えている。
【００２１】
前扉３の中央部正面には、正面パネル４が装着されている。この正面パネル４の主要部には、表示窓５が形成されている。それゆえ、この正面パネル４は、表示窓５の枠体として機能する。なお、以下の説明においては、正面パネル４を「枠体４」と称することもある。
【００２２】
表示窓５は、主として、筐体２内の３つの回転リール６Ｌ，６Ｃ，６Ｒを観察するためのものであって、各リール６Ｌ，６Ｃ，６Ｒの外周面には、それぞれ、ボーナス役図柄、小役図柄及びリプレイ役図柄を含む、複数種類の役図柄が周方向に沿って描かれている。これらの図柄は、表示窓５を通して３つずつ観察される。表示窓５及び各リール６Ｌ，６Ｃ，６Ｒの両者は、正面パネル４上において遊技者に対面している。
【００２３】
表示窓５の左側には、５つの賭けライン表示ランプ７Ａ，７Ｂ，７Ｃ，７Ｄ，７Ｅが設けられている。これら５つの賭けライン表示ランプ７Ａ〜７Ｅは、１遊技における有効ラインを示すために点灯するランプである。他方、表示窓５の右側には、スタートランプ８、投入指示ランプ９、リプレイタイム告知ランプ１０、アシストタイム（ＡＴ）告知ランプ１１及びゲームオーバーランプ１２が設けられている。スタートランプ８は、遊技が開始できる状態となった場合に点灯又は点滅するランプである。投入指示ランプ９は、メダルをスロットマシン１に投入できる状態である場合に点灯又は点滅するランプである。ＲＴ告知ランプ１０は、遊技状態が高確率再遊技状態（以下、「ＲＴ」という）に移行した場合に点灯又は点滅するランプである。ＡＴ告知ランプ１１は、遊技状態が画像や音などにより役の入賞を支援する情報が報知される状態に移行した場合に点灯又は点滅するランプである。ゲームオーバーランプ１２は、遊技が終了したときに点灯又は点滅するランプである。これらランプ８〜１２は、正面パネル４の上方から下方に向かってこの順で配置されている。
【００２４】
ここに、「ＲＴ」とは、役の成立に関する抽選（役抽選）において、リプレイ（ＲＰ）役が高確率で当選する遊技状態のことであり、通常遊技状態においてハズレ（非当選）となる確率を減らし、ＲＰ役の入賞頻度を高くすることにより、遊技媒体であるメダルの減量を軽減ないし防止するようにした遊技状態をいう。
【００２５】
表示窓５上には、当該表示窓５の窓面を通過する５本の賭けライン１３Ａ，１３Ｂ，１３Ｃ，１３Ｄ，１３Ｅが設けられている。具体的には、第１の賭けライン１３Ａは、表示窓５の中段において水平に延びており、この賭けライン１３Ａの左端に第１の賭けライン表示ランプ７Ａが配置されている。第２の賭けライン１３Ｂは、表示窓５の上段において水平に延びており、この賭けライン１３Ｂの左端に第２の賭けライン表示ランプ７Ｂが配置されている。第３の賭けライン１３Ｃは、表示窓５の下段において水平に延びており、この賭けライン１３Ｃの左端には第３の賭けライン表示ランプ７Ｃが配置されている。第４の賭けライン１３Ｄは、表示窓５の左上段から右下段に向かって斜め下方向に延びており、この賭けライン１３Ｄの左端には第４の賭けライン表示ランプ７Ｄが配置されている。第５の賭けライン１３Ｅは、表示窓５の左下段から右上段に向かって斜め上方向に延びており、この賭けライン１３Ｅの左端には第５の賭けライン表示ランプ７Ｅが配置されている。
【００２６】
表示窓５の下方には、払出数表示器１４、ゲーム数表示器１５及びクレジット数表示器１６が設けられている。払出数表示器１４は、入賞が発生した場合に遊技者に対して払い出されるメダル数を表示する表示器である。ゲーム数表示器１５は、ボーナスゲーム中の小役ゲーム数及びＪＡＣゲーム数、ＲＴ中の残りゲーム数などを表示する表示器である。クレジット数表示器１６は、遊技者が所有する有価価値としてスロットマシン１にクレジットされているメダル数を表示する表示器である。これら表示器１４〜１６は、７セグメント表示器であって、正面パネル４上で左から右に向かってこの順で配置されている。
【００２７】
前扉３の上部には、上パネル１７が装着されている。この上パネル１７の中央部には、液晶表示装置（以下、「ＬＣＤ」という）１８が設けられている。このＬＣＤ１８は、遊技に関する種々の演出などを表示により行うための手段であって、例えば遊技中の演出画像を各種遊技状態のとき毎に異なるものとして表示したり、ボーナス役が内部当選している旨を画像表示により告知したり、遊技にリンクした演出情報などを表示する。なお、代替的に、ＬＥＤ表示装置やＥＬ表示装置を採用して上記遊技演出情報を表示するようにしてもよい。ＬＣＤ１８を挟んだ左右両側には、スピーカー１９Ａ，１９Ｂが配置されており、この左右一対のスピーカー１９Ａ，１９Ｂは、上パネル１８に嵌め込まれている。これらのスピーカー１９Ａ，１９Ｂは、ＬＣＤ１８に表示された演出画像に対応した演出音、遊技状態に応じた効果音等を出力するための手段である。他方、前扉３の下部には、下パネル２０が装着されている。この下パネル２０には、機種名及びイメージデザイン等が印刷されており、その下方には、メダル払出口２１及びメダル受け皿２２が設けられている。
【００２８】
正面パネル４と下パネル２０との間には、操作部２３が設けられている。この操作部２３には、メダル投入口２４、ベットボタン２５、始動レバー２６、停止ボタン２７Ｌ，２７Ｃ，２７Ｒ及び精算ボタン２８が備えられている。メダル投入口２４は、操作部２３の上面の右側に配置されている。ベットボタン２５は、投入口２４から投入されたメダルを何枚賭けるかを設定する際に使用されるボタンであって、操作部２３の上面において始動レバー２６及び左停止ボタン２７Ｌの両者の中間位置に配置されている。始動レバー２６は、遊技を開始する際に使用されるレバーであり、他方停止ボタン２７Ｌ，２７Ｃ，２７Ｒは、リール６Ｌ，６Ｃ，６Ｒの回転を停止させる際に使用されるボタンである。具体的には、左停止ボタン２７Ｌを操作すると、左リール６Ｌの回転が停止する。中停止ボタン２７Ｃを操作すると、中リール６Ｃの回転が停止する。右停止ボタン２７Ｒを操作すると、右リール６Ｒの回転が停止する。これら停止ボタン２７Ｌ，２７Ｃ，２７Ｒは、操作部２３の正面中央部において各リール６Ｌ，６Ｃ，６Ｒに対応して配置されている。これに対して、始動レバー２６は、操作部２３の正面において停止ボタン２７Ｌ，２７Ｃ，２７Ｒの左側に配置されている。精算ボタン２８は、スロットマシン１にクレジットされたメダルを精算する際に使用されるボタンであって、操作部２３の正面において始動レバー２６の左側に配置されている。
【００２９】
本スロットマシン１では、遊技はクレジットモードで進行される。すなわち、１遊技毎にベットボタン２５が１回押されると、３枚のメダルが賭け対象となり、上記の５本の賭けライン１３Ａ〜１３Ｅの全てが有効化される。このとき、上記の５つの賭けライン表示ランプ７Ａ〜７Ｅが点灯する。
【００３０】
かかるクレジットモードでは、上記有効化された賭けライン（有効ライン）１３Ａ〜１３Ｅの何れかのライン上で入賞図柄の組合せが揃い、それによって入賞が成立した場合には、この入賞の発生に伴いクレジットの上限を超えない範囲で払い出されるメダル数がクレジットとしてスロットマシン１にストアーされる。クレジットの上限を超える場合には、その上限を超えた数のメダルが払出口２１から受け皿２２に払い出される。
【００３１】
上記のクレジットモードの手順に則して賭け対象となるメダルの枚数が設定されると、図示しない制御部は、この設定された賭け枚数分のメダルを取り込む。このメダルの取り込みにより、遊技を開始する条件が整う。このとき、スタートランプ８が点灯又は点滅する。このスタートランプ８の作動状態において、始動レバー２６が操作されると、制御部は、全てのリール６Ｌ，６Ｃ，６Ｒを一斉に回転させる。
【００３２】
各停止ボタン２７Ｌ，２７Ｃ，２７Ｒを押圧操作すると、その操作に対応するリールの回転が停止する。全リール６Ｌ，６Ｃ，６Ｒの回転が停止したときに、有効ライン上に入賞図柄の組合せの１つが停止表示する（揃う）と、制御部は、成立した入賞役の種類に従って、予め定められている枚数のメダルを上記メダルの入力モードに応じた態様で遊技者に払い出す。
【００３３】
図２を参照して、ＬＣＤ１８の左側部領域とスピーカー１９Ａとの間、及びＬＣＤ１８の右側部領域とスピーカー１９Ｂとの間には、ＬＣＤ１８に表示される複数の遊技履歴画像のうち所望の遊技履歴画像に切り替え表示を行わせるための切り替えボタンＫ，Ｆが、各々上下方向に並ぶように、合計４個設けられている。このＬＣＤ１８は、左右の側縁がスピーカー１９Ａ，１９Ｂと隣接する程度に大きな横幅寸法を有すると共に、その上端縁が前扉３の上端縁に隣接し、且つ、その下端縁が表示窓５の上端縁に隣接する程度に大きな縦幅寸法を有する、非常に大きな表示面を備えている。そのため、ＬＣＤ１８では、一度に多くの表示内容が同時に表示される。具体的には、ＬＣＤ１８の３分の１の領域に種々の遊技履歴画像に切り替えるためのメニュー画面が表示され、残りの３分の２の領域にキャラクターなどを用いた演出画像などが表示される。上記遊技履歴画像のメニューとしては、ボーナス遊技における最高メダル獲得枚数や、１日のボーナス役入賞回数、前回のボーナス遊技から現在までの遊技回数、メダル払出枚数とメダル投入枚数との関係をグラフ化した表、或いは、遊技に関する説明などを例示することができる。これら例示したメニューが予めＬＣＤ１８上に表示される。切り替えボタンＫには、複数のメニューのうちから所望のメニューを選択できるように、表示画面上でカーソルを進む方向に移動させるための第１のカーソル移動ボタンＫ１と、表示画面上で同様にカーソルを戻す方向に移動させるための第２カーソル移動Ｋ２とが含まれている。他方、切り替えボタンＦには、カーソル移動ボタンＫ１，Ｋ２によって移動したカーソルが示すメニュー内容の遊技履歴画像に切り替えるか否かを決定するための決定ボタンＦ１と、この切り替えられた遊技履歴画像を元の画像に戻すためのキャンセルボタンＦ２とが含まれている。
【００３４】
［内部構成］
図５及び図６を参照して、筐体２内には、リール６Ｌ，６Ｃ，６Ｒ、各リール６Ｌ，６Ｃ，６Ｒの駆動源であるステッピングモーターＳＭＬ，ＳＭＣ，ＳＭＲ、ホッパー３０及び確率設定ボックス３１が備えられている。
【００３５】
リール６Ｌ，６Ｃ，６Ｒは、図５に示すように、筐体２内の中央部に配置されており、これらリール６Ｌ，６Ｃ，６Ｒを基準として、ホッパー３０及び確率設定ボックス３１の設置箇所が決定されている。図６に示すように、各リール６Ｌ，６Ｃ，６Ｒの回転軸６１は、それぞれ、筐体２内のブラケット３２に回転自在に支持されており、当該各回転軸６１の端部が各ステッピングモーターＳＭＬ，ＳＭＣ，ＳＭＲの出力軸に結合されている。
【００３６】
ホッパー３０は、メダルの貯留・放出を行うための手段であって、図５に示すように、リール６Ｌ，６Ｃ，６Ｒの下方において、筐体２の底面に取り付けられている。他方、確率設定ボックス３１は、ホッパー３０の左側において、筐体２の底面に取り付けられている。
【００３７】
また、前扉３に装着された表示窓５の枠体（即ち、上記の正面パネル）４の裏側には、図６に示すように、カバー体５０が装着されている。このカバー体５０は、上記の払出数表示器１４、ゲーム数表示器１５及びクレジット数表示器１６並びにコネクタ６０等が搭載される回路基板７０を覆う。この状態は図７によく示されている。
【００３８】
コネクタ６０は、特に図示していないが、フラットケーブル等を介して、本スロットマシン１の制御中枢を司る上記の制御部に接続されている。
【００３９】
上述したように、本発明では、有効な回路基板７０の封印構造の提供をその目的としている。したがって、以下では、回路基板７０の封印構造について詳細に述べる。
【００４０】
［回路基板の封印構造］
図７〜図１１を参照して、本実施の形態１では、回路基板７０を有効に封印するために、左右にその封印機構８０を備えている。
【００４１】
これら封印機構８０は、上記の表示窓５の枠体４及びカバー体５０に加えて、被封印部材９０及び封印部材としてのロックピン（以下、単に「ロックピン」という）１００を含む。
【００４２】
枠体４の下部の主要領域には、図７に示すように、払出数表示器１４、ゲーム数表示器１５及びクレジット数表示器１６がそれぞれ挿入される第１の表示器挿入孔４１、第２の表示器挿入孔４２及び第３の表示器挿入孔４３が形成されている。第１の表示器挿入孔４１は、払出数表示器１４を挿入するための孔であって、払出数表示器１４のメダル払出数を表示するセグメント表示面が枠体４の表側に露出するように、枠体４の前後方向に沿って貫通して設けられている。第２の表示器挿入孔４２は、ゲーム数表示器１５を挿入するための孔であって、ゲーム数表示器１５のゲーム数を表示するセグメント表示面が枠体４の表側に露出するように、枠体４の前後方向に沿って貫通して設けられている。第３の表示器挿入孔４３は、クレジット数表示器１６を挿入するための孔であって、クレジット数表示器１６のクレジット数を表示するセグメント表示面が枠体４の表側に露出するように、枠体４の前後方向に沿って貫通して設けられている。これら第１〜第３の表示器挿入孔４１，４２，４３は、枠体４の裏側から視て、右から左に向かってこの順に配置されている。
【００４３】
また、枠体４の表示器挿入孔４１〜４３を挟んだ左右両側には、それぞれ、ねじ２００によりカバー体５０及び回路基板７０の両者を枠体４の裏側から固定するためのねじ孔４４が形成されている。
【００４４】
カバー体５０は、枠体４の下部の裏側に対して回路基板７０を封印するように覆うための部材である。このカバー体５０の平面形状は、枠体４の回路基板７０の封印領域全体を覆うように左右方向に細長い長方形形状をなしている。カバー体５０の上記枠体４のねじ孔４４との対応位置には、ねじ２００が挿通されるねじ挿通孔５１が形成されている。
【００４５】
また、カバー体５０の左右の上隅部には、それぞれ、ロックピン１００が挿通されるロックピン挿通孔５２が形成されている。
【００４６】
回路基板７０は、カバー体５０の内寸と略同寸の左右方向に細長い長方形形状を有している。この回路基板７０の両面には、特に図示しないが、所定の回路設計に基づいて回路パターンが固着形成されている。枠体４との対向面側の回路パターン上には、払出数表示器１４、ゲーム数表示器１５及びクレジット数表示器１６が半田付け又はダイボンドにより搭載される。他方、枠体４との対向面と反対側の面側の回路パターン上の右側端部には、そのコンタクトピンが半田付けされることによってコネクタ６０が搭載される。
【００４７】
また、回路基板７０の上記枠体４のねじ孔４４との対応位置には、上記カバー体５０側のねじ挿通孔５１と連通するように、上記のねじ２００が挿入されるねじ挿通孔７１が形成されている。
【００４８】
（ロックピンの構成）
図１２を参照して、ロックピン１００は、枠体４とカバー体５０との間で回路基板７０を挟み込んで封印するためのピンであって、弾性変形可能な合成樹脂を素材として作製された一体成形品である。このロックピン１００は、頭部１０１及び軸部１０２を備えている。軸部１０２の先端部には、笠１０３が形成されている。この笠１０３は、スリットにより２分割された羽根片からなり、これら羽根片が径方向に拡縮自在とされている。
【００４９】
（被封印部材の構成）
図１３を参照して、被封印部材９０は、回路基板７０の封印時にロックピン１００に対する相手部材であって、アルミニウム等の軽金属を素材として作製された一体成形品である。この被封印部材９０は、基部９１及び係合部９２を備えている。
【００５０】
基部９１は、その自由端部が先端に向かって漸次幅を狭くした角形形状の平板である。基部９１の主要領域には、回路基板７０を枠体４の裏面側に螺合するための図７及び図１１に示すねじ３００が挿通されるねじ挿通孔９１１が形成されている。これに対して、図１１に示すように、回路基板７０側では、上記基部９１側のねじ挿通孔９１１と連通するように、上記のねじ３００が挿通されるねじ挿通孔７２が形成され、さらに枠体４側では、上記回路基板７０側のねじ挿通孔７２に連通するように、上記のねじ３００が螺合されるねじ孔４５が形成されている。加えて、基部９１の自由端からは、短冊状の回り止め用の脚片９１２が下方に向かって延びている。この脚片９１２は、図１１に示すように、回路基板７０の側端面に当接される。
【００５１】
係合部９２は、天板９２１と、この天板９２１の左右両端部からそれぞれ下方に向かって折り曲げられた左右一対の側板９２２，９２３とから構成され、略コの字形形状を有している。この係合部９２では、一方の側板９２２の下端が基部９１の基端に結合され、他方の側板９２３が自由状態とされている。
【００５２】
天板９２１の中央部には、ロックピン１００が挿通されるロックピン挿通孔９２４が形成されている。これに対して、図１１に示すように、カバー体５０側では、その裏側に係合部９２の上部が嵌め込まれる嵌合凹部５３が形成されている。この嵌合凹部５３には、上記枠体４側のロックピン挿通孔５２が接続されている。なお、ロックピン挿通孔９２４の孔径は、ロックピン挿通孔５２の孔径よりも若干小さく設定されている。
【００５３】
自由側の側板９２３の下端からは、短冊状の半田付け用の脚片９２５が下方に向かって延びている。これに対して、図１１に示すように、回路基板７０側では、上記被封印部材９０側の脚片９２５が挿通される貫通孔（スルーホール）７３が形成されている。この脚片９２５は、貫通孔７３に挿通されて回路基板７０の枠体４の対向面とは反対側の面側の回路パターンのダミーパターン部に半田付けされる。このように、回路基板７０に設けた貫通孔７３に脚片９２５を差込んで半田付けを行うほうが、面実装により半田付けを行うよりも被封印部材９０を回路基板７０に対して強固に固着することができて好ましい。
【００５４】
[回路基板の封印工程]
まず、回路基板７０の両面の回路パターン上にそれぞれ表示器１４〜１６及びコネクタ６０が搭載されるが、この際に被封印部材９０も回路基板７０の枠体４との対向面とは反対側の面に実装する。具体的には、被封印部材９０の基部９１を回路基板７０の枠体４との対向面とは反対側の面に接触させた状態で、基部９１の脚片９１２を回路基板７０の側端面に引っ掛けると共に係合部９２の脚片９２５を回路基板７０の貫通孔７３に挿通し、当該脚片９２５の先端部を回路基板７０の枠体４との対向面側の回路パターンのダミーパターン部に半田付けにより固定する。このように、表示器１４〜１６及びコネクタ６０と共に被封印部材９０を半田付けにて回路基板７０上に実装することにより、回路基板７０の封印工程数を削減できる。
【００５５】
次に、ねじ３００を被封印部材９０の基部９１のねじ挿通孔９１１及び回路基板７０のねじ挿通孔７２の順に挿通して枠体４のねじ孔４５に螺合させて回路基板７０と枠体４とを固定する。このとき、ねじ３００をねじ込む際に発生するトルクにより回路基板７０上の被封印部材９０がねじ３００と共回りしようとするが、基部９１の脚片９１２が回路基板７０の側端面に当接するので、上記被封印部材９０の共回りを防止する。これにより、係合部９２の脚片９２５の先端部に周囲に形成された半田フィレットＦ（図１１参照）が破壊されない。そのため、回路基板７０に対する被封印部材９０の半田固定は、上記のように係合部９２の自由端部を回路基板７０に対して線接触させた状態で係合部９２の脚片９２５のみのピンポイントで済む。その結果、回路基板７０の有効面積をあまり減らさずに回路基板７０を封印することが可能となる。
【００５６】
続いて、枠体４の裏側に対して回路基板７０を封印するようにカバー体５０を取り付ける。具体的には、ねじ２００をカバー体５０のねじ挿通孔５１及び回路基板７０のねじ挿通孔７１の順に挿通して枠体４のねじ孔４４に螺合させてカバー体５０を枠体４の裏側に固定する。このとき、被封印部材９０の係合部９２がカバー体５０の内面に形成された嵌合凹部５３内に嵌まり込む。これにより、カバー体５０のロックピン挿通孔５２と被封印部材９０の係合部９２のロックピン挿通孔９２４との位置合せ作業が容易となる。
【００５７】
最後に、ロックピン１００を被封印部材９０の係合部９２に係合させることによって、回路基板７０を枠体４とカバー体５０との間で挟み込んだ状態で封印する。具体的には、ロックピン１００の軸部１０２を押込みながらカバー体５０のロックピン挿通孔５２及び被封印部材９０の係合部９２のロックピン挿通孔９２４の順に挿通させる。このとき、軸部１０２の笠１０３は、上記ロックピン挿通孔５２，９２４を通過する際に生じるロックピン１００に対する押込み抵抗によりその羽根片が縮径し、被封印部材９０側のロックピン挿通孔９２４を通過した際に上記ロックピン１００に対する押込み抵抗から解放されその羽根片が拡径する。そうすると、笠１０３の自由端面が回路基板７０と係合部９２との間で区画される係合空間内において係合部９２の天板９２１の内面に係合する。このように、ロックピン１００を被封印部材９０に係合させる際には、上記のようにカバー体５０側の嵌合凹部５３及び被封印部材９０側の係合部９２の両者が嵌合し、カバー体５０側のロックピン挿通孔５２及び被封印部材９０側のロックピン挿通孔９２４の両者は既に位置決めされている。そのため、ロックピン１００及び被封印部材９０の両者の係合作業を容易に行なえることになる。
【００５８】
上記の工程を経ることによって、図８及び図９に示すような状態で回路基板７０の封印作業が終了する。
【００５９】
[作用・効果]
本実施の形態１によると、以下の作用・効果を奏する。
【００６０】
（１）回路基板７０の封印構造として、表示器１４〜１６及びコネクタ６０が搭載された回路基板７０を枠体４及びカバー体５０の両者で挟み込んだサンドイッチ構造を採用し、さらに回路基板７０に半田付けされた被封印部材９０の係合部９２に封印部材としてのロックピン１００を係合しているので、回路基板７０とカバー体５０とは分離できなくなる。それゆえ、表示器１４〜１６と共に回路基板７０上に搭載されるコネクタ６０に対しては、マシン外部からアプローチできないようになる。その結果、コネクタ６０に接続される制御部に対する不正行為を防止することが可能となる。また、アッセンブリの方法に変更を特に加える必要がないため、従来の設計を十分に生かすことができる。
【００６１】
（２）被封印部材９０の基部９１にねじ挿通孔９１１を形成し、このねじ挿通孔９１１に挿通されたねじ３００によって枠体４と回路基板７０とを螺合しているので、枠体４及びカバー体５０の両者の間でサンドイッチされる回路基板７０に対する固定力がより増強される。
【００６２】
＜実施の形態２＞
図１４を参照して、本実施の形態２の特徴は、封印部材として結束バンド５００を、被封印部材６００として側面形状が略Ｌ字形状をなす金具をそれぞれ使用して回路基板７０を封印している点にあり、その他の構成は実施の形態１と略同様である。
【００６３】
結束バンド５００は、カバー体５０と回路基板７０とをまとめて緊締するためのインシュロック式のバンドであって、プラスチック等の合成樹脂を素材として作製された一体成形品である。この結束バンド５００は、可撓性を有する長手のバンド体５０１、及びバンド体５０１が挿入される筒状の挿入部５０２等を備え、挿入部５０２にループを形成したバンド体５０１を挿入すると、バンド体５０１が抜けないように結合するように構成されている。
【００６４】
バンド体５０１は、特に図示していないが、その主面上の所定領域に鋸歯状の係合爪群を有している。他方、挿入部５０２は、特に図示していないが、その内部に当該挿入部５０２に挿入されたバンド体５０１の引抜きを阻止するための係合爪等の連結機構が設けられている。
【００６５】
被封印部材６００は、基部６０１と、この基部６０１の基端から略直角に折り曲げられた係合部６０２とから構成されている。
【００６６】
基部６０１は、その主要領域にねじ挿通孔６０３が形成された平板であり、回路基板７０の枠体４との対抗面とは反対側の面の回路パターンのダミーパターン部上に半田付けにて固定される。このねじ挿通孔６０３は、回路基板７０を枠体４の裏側に螺合させるためのねじ３００を挿通させるための孔である。
【００６７】
係合部６０２は、結束バンド５００が係合される短冊状（縦長）の係合孔６０４が形成された平板である。この係合部６０２の高さ寸法は、回路基板７０の封印時にその係合孔６０４の上部領域がカバー体５０から露出するように設定されている。これに対して、カバー体５０側では、係合部６０２用の嵌合孔５５が形成されている。特に、嵌合孔５５の入口側は、座ぐり５６が加工されている。
【００６８】
次に、本実施の形態２における回路基板７０の封印手順について説明する。
【００６９】
まず、回路基板７０の両面の回路パターン上にそれぞれ表示器１４〜１６及びコネクタ６０を搭載する際に、被封印部材６００も回路基板７０の枠体４との対向面とは反対側の面に実装する。具体的には、被封印部材６００の基部６０１を回路基板７０の枠体４との対向面とは反対側の面の回路パターンのダミーパターン部に半田付けにより固定する。
【００７０】
次に、ねじ３００を被封印部材６００の基部６０１のねじ挿通孔６０３及び回路基板７０のねじ挿通孔７２の順に挿通して枠体４のねじ孔４５に螺合させて回路基板７０と枠体４とを固定する。ねじ３００をねじ込む際に発生するトルクにより回路基板７０上の被封印部材６００がねじ３００と共回りしようとするが、基部６０１を回路基板７０上に面接触させて半田固定しているので、被封印部材６００はねじ３００と共回りせず、基部６０１の周囲に形成された半田フィレットＦは破壊されない。そのため、回路基板７０の有効面積を極力減らさずに回路基板７０を封印することが可能となる。
【００７１】
そして、枠体４の裏側に対して回路基板７０を封印するようにカバー体５０を取り付ける。具体的には、実施の形態１と同様に、ねじ２００をカバー体５０のねじ挿通孔５１及び回路基板７０のねじ挿通孔７１の順に挿通して枠体４のねじ孔４４に螺合させてカバー体５０を枠体４の裏側に固定する。このとき、被封印部材６００の係合部６０２がカバー体５０に形成された嵌合孔５５内に嵌まり込むと共に、係合部６０２の係合孔６０４の上部が嵌合孔５５を通ってカバー体５０から露呈する。これにより、カバー体５０と被封印部材６００の係合部６０２との位置合せ作業が容易となる。
【００７２】
最後に、結束バンド５００を被封印部材６００の係合部６０２に係合させることによって、回路基板７０を枠体４とカバー体５０との間で挟み込んだ状態で封印する。具体的には、結束バンド５００のバンド体５０１を湾曲させてその先端部を係合部６０２の係合孔６０４を通して挿入部５０２に挿通させる。そうすると、バンド体５０１によってループが形成され、挿入部５０２の係合爪がバンド体５０１の係合爪群に引抜き方向で係止する。このバンド体５０１の係止爪群と挿入部５０２の係止爪との連結作用によって、バンド体５０１を挿入部５０２から引抜くことができなくなる。その結果、カバー体５０及び回路基板７０の両者が緊締されることになる。このように、結束バンド５００を被封印部材６００に係合させる際には、上記のようにカバー体５０の嵌合孔５５と被封印部材６００の係合部６０２とが嵌合し係合部６０２の係合孔６０４が露呈するように被封印部材６００の係合部６０２はカバー体５０に対して既に位置決めされ、しかもカバー体５０の嵌合孔５５の入口側には座ぐり５６が形成されているため、結束バンド５００及び被封印部材６００の両者の係合作業を容易に行なえることになる。
【００７３】
このように、本実施の形態２では、回路基板７０の封印構造として、表示器１４〜１６及びコネクタ６０が搭載された回路基板７０を枠体４及びカバー体５０の両者で挟み込んだサンドイッチ構造を採用し、さらに回路基板７０に半田付けされた被封印部材６００の係合部６０２に封印部材としての結束バンド５００を係合することによって、回路基板７０及びカバー体５０の両者を分離不能としているので、上記実施の形態１の（１）と同様の作用・効果を奏する。
また、被封印部材６００の基部６０１にねじ挿通孔６０３を形成し、このねじ挿通孔６０３に挿通されたねじ３００によって枠体４及び回路基板７０同士を螺合しているので、上記実施の形態１の（２）と同様の作用・効果を奏する。
【００７４】
＜実施の形態３＞
図１５及び図１６を参照して、本実施の形態３の特徴は、封印部材としてロックピン１００を使用し、コネクタ６０にロックピン１００が係合される被封印部材としての機能を兼ね備えさせて回路基板７０を封印している点にあり、その他の構成は実施の形態１と略同様である。
【００７５】
図１７を参照して、コネクタ６０は、コネクタハウジング６１、及びコネクタハウジング６１内にその先端部が突出するように収納された多数のコンタクトピン６２を含む。
【００７６】
コネクタハウジング６１は、絶縁性を有する合成樹脂を素材として作製された一体成形品であり、ハウジング本体６１１、及び被封印部材として機能する左右一対の係合部６１２を備えてなる。
【００７７】
ハウジング本体６１１は、コンタクトピン６２を収納するためのピン収納部を有している。このハウジング本体６１１には、ピン収容部内に嵌め込まれたコンタクトピン６２を挟んで左右一対のねじ挿通孔６１１Ｈが形成されている。このねじ挿通孔６１１Ｈは、図１６に示すように、回路基板７０を枠体４の裏側に固定するためのねじ５００を挿通させるための孔である。これに対して、回路基板７０側には、ねじ挿通孔６１１Ｈと連通するように、上記のねじ５００が挿通される左右一対のねじ挿通孔７５が形成され、さらに枠体４側には、回路基板７０側のねじ挿通孔７５と連通するように、上記のねじ５００が螺合される左右一対のねじ孔４８が形成されている。
【００７８】
係合部６１２は、ハウジング本体６１１のピン収容部側の左右両端部からコンタクトピン６２を挟み込むように前方に向かって突出しており、その天板には、ロックピン１００が挿通されるロックピン挿通孔６１２Ｈが形成されている。この係合部６１２では、前方及び下方に向かって開口しており、その断面形状は、図１６に示すように、略コ字形形状をなしている。これに対して、カバー体５０側には、ロックピン１００が挿通されるロックピン挿通孔５８が形成され、さらにカバー体５０の裏側に係合部６１２の上部が嵌め込まれる嵌合凹部５９が形成されている。この嵌合凹部５９には、ロックピン挿通孔５８が連通接続されている。なお、ロックピン挿通孔６１２Ｈの孔径は、ロックピン挿通孔５８の孔径より若干小さく設定されている。
【００７９】
コンタクトピン６２は、回路基板７０に形成されたピン孔に嵌め込まれ、その先端部が回路基板７０の枠体４との対向面の回路パターン上に半田付けされる。
【００８０】
ここで、本実施の形態３における回路基板７０の封印工程について説明する。
【００８１】
まず、回路基板７０の両面の回路パターン上にそれぞれ表示器１４〜１６及びコネクタ６０を搭載する。
【００８２】
次に、ねじ５００をコネクタ６０のねじ挿通孔６１１Ｈ及び回路基板７０のねじ挿通孔６１１Ｈの順に挿通して枠体４のねじ孔４８に螺合させて回路基板７０と枠体４とを固定する。このとき、ねじ５００をねじ込む際に発生するトルクにより回路基板７０上のコネクタ６０に対し回転モーメントがかかるが、コネクタ６０は、その多数のコンタクトピン６２が半田付けにて回路基板７０に固定されているのでその影響を受けることはない。
【００８３】
そして、枠体４の裏側に対して回路基板７０を封印するようにカバー体５０を取り付ける。具体的には、実施の形態１と同様に、ねじ２００をカバー体５０のねじ挿通孔５１及び回路基板７０のねじ挿通孔７１の順に挿通して枠体４のねじ孔４４に螺合させてカバー体５０を枠体４の裏側に固定する。このとき、コネクタ６０の係合部６１２がカバー体５０の内面に形成された嵌合凹部５９内に嵌まり込む。これにより、カバー体５０のロックピン挿通孔５８とコネクタ６０の係合部６１２のロックピン挿通孔６１２Ｈとの位置合せ作業が容易となる。
【００８４】
最後に、ロックピン１００をコネクタ６０の係合部６１２に係合させることによって、回路基板７０を枠体４とカバー体５０との間で挟み込んだ状態で封印する。具体的には、ロックピン１００の軸部１０２を押込みながらカバー体５０のロックピン挿通孔５８及びコネクタ６０の係合部６１２のロックピン挿通孔６１２Ｈの順に挿通させる。このとき、軸部１０２の笠１０３は、上記ロックピン挿通孔□を通過する際に生じるロックピン１００に対する押込み抵抗によりその羽根片が縮径し、被封印部材を兼用するコネクタ６０側のロックピン挿通孔６１２Ｈを通過した際に上記ロックピン１００に対する押込み抵抗から解放されその羽根片が拡径する。そうすると、笠１０３の自由端面が回路基板７０とコネクタ６０の係合部６１２との間で区画される係合空間内において係合部６１２の天板の内面に係合する。このように、ロックピン１００を被封印部材としての機能を兼ねたコネクタ６０に係合させる際には、上記のようにカバー体５０側の嵌合凹部５９及びコネクタ６０側の係合部６１２の両者が嵌合し、カバー体５０側のロックピン挿通孔５８及びコネクタ６０側のロックピン挿通孔６１２Ｈの両者は既に位置決めされている。そのため、ロックピン１００及びコネクタ６０の両者の係合作業を容易に行なえることになる。また、コネクタ６０の係合部６１２が前方に向かって開口しているので、ロックピン１００とコネクタ６０の係合部６１２との係合状態に関する視認性が良くなり、当該係合工程における作業性が向上する。
【００８５】
以上の説明から明らかな通り、本実施の形態３によると、上記実施の形態１と同様の作用・効果を奏することに加えて、以下の作用・効果を奏する。
【００８６】
コネクタ６０を封印部材としてのロックピン１００との対象相手となる被封印部材として兼用しているので、回路基板７０の封印時の部品点数の削減に貢献することはもとより、従来通り、表示器１４〜１６及びコネクタ６０を半田付けにて回路基板７０上に実装するだけで、実質的には被封印部材を回路基板７０上に実装したことになり、回路基板７０の封印工程数の削減に大きく貢献すると共に、回路基板７０の有効面積を減少させることなく回路基板７０を封印できる。
【００８７】
なお、本発明は上記実施の形態に限定されるものではない。例えば、上記実施の形態１において、ロックピンの相手となる被封印部材の半田付け用の脚片や回り止め用の脚片を排除し、その基部を回路基板に面接触させた状態で半田固定しても、本発明の目的は十分に達成し得る。また、上記実施の形態２において、結束バンドの相手となる被封印部材に脚片を設けてこの脚片を半田付け用のフックや回り止め用のフックとして機能させても構わない。その他、本明細書に添付の特許請求の範囲内での種々の設計変更及び修正を加え得ることは勿論である。
【産業上の利用可能性】
【００８８】
本発明では、表示器と共に回路基板上に搭載されるコネクタに対してマシン外部からアプローチできないようにし、もってコネクタに接続される制御部に対する不正行為を防止し得るゆえ、表示窓の枠体の裏面側に表示器及びコネクタが搭載された回路基板が取付けられるスロットマシンの回路基板の封印構造として有用である。
【図面の簡単な説明】
【００８９】
【図１】本発明の実施の形態１に係るスロットマシンの外観構成を示す斜視図である。
【図２】同スロットマシンの正面図である。
【図３】同スロットマシンの側面図である。
【図４】同スロットマシンの上面図である。
【図５】同スロットマシンの内部構成を示す斜視図であって、前扉を開けた状態を示す。
【図６】同スロットマシンの一部を切り欠いて示す側面図である。
【図７】同スロットマシンに適用される回路基板の封印構造を示す分解斜視図である。
【図８】同スロットマシンにおいて回路基板の封印が完了した状態を枠体の裏側から示す斜視図である。
【図９】同スロットマシンにおいて回路基板の封印は完了した状態を枠体の裏側から示す正面図である。
【図１０】図９のＡ−Ａ線に沿う断面図である。
【図１１】図１０のＢ部を拡大して示す図である。
【図１２】封印部材としてのロックピンの構成を示す図であって、同図(Ａ)は斜視図、同図（Ｂ）は正面図である。
【図１３】被封印部材の構成を示す図であって、同図（Ａ）は基部側から視た斜視図、同図（Ｂ）は係合部側から視た斜視図である。
【図１４】本発明の実施の形態２に係るスロットマシンに適用される回路基板の封印構造を示す図であって、同図（Ａ）は断面図、同図（Ｂ）は同図（Ａ）のＢ部を拡大して示す図である。
【図１５】本発明の実施の形態３に係るスロットマシンに適用される回路基板の封印構造を示す要部分解斜視図である。
【図１６】同スロットマシンに適用される回路基板の封印構造を示す要部拡大断面図である。
【図１７】コネクタの構成を示す図であって、同図（Ａ）は表側から視た斜視図、同図（Ｂ）は裏側から視た斜視図である。
【符号の説明】
【００９０】
１  スロットマシン
２  筐体
３  前扉
４  枠体（正面パネル）
５  表示窓
６Ｌ，６Ｃ，６Ｒ  回転リール
１４〜１６  表示器
５０  カバー体
５２，５９  嵌合凹部
５６  嵌合孔
６０  コネクタ
６１  コネクタハウジング
６２  コンタクトピン
６１２  係合部（被封印部材）
９０  被封印部材
９１  基部
９２  係合部
１００  ロックピン（封印部材）
５００  結束バンド（封印部材）
６００  被封印部材
６０１  基部
６０２  係合部
２００，３００  ねじ
【図１】
2008301990.tif 000003
【図２】
2008301990.tif 000004
【図３】
2008301990.tif 000005
【図４】
2008301990.tif 000006
【図５】
2008301990.tif 000007
【図６】
2008301990.tif 000008
【図７】
2008301990.tif 000009
【図８】
2008301990.tif 000010
【図９】
2008301990.tif 000011
【図１０】
2008301990.tif 000012
【図１１】
2008301990.tif 000013
【図１２】
2008301990.tif 000014
【図１３】
2008301990.tif 000015
【図１４】
2008301990.tif 000016
【図１５】
2008301990.tif 000017
【図１６】
2008301990.tif 000018
【図１７】
2008301990.tif 000019